【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
ロータリ形注湯装置に使用される溶融金属の注湯量制御装置であって、溶融金属鍋の底部にベースプレートを介して装着された、少なくとも１孔の注湯口を有する固定板レンガと、該固定板レンガと注湯口を同芯に対向されて設けられたコレクタノズルレンガと、該コレクタノズルレンガと固定板レンガに挟接されて設けられ、且つ、該コレクタノズルレンガと固定板レンガの摺動平面に摺回動可能な少なくとも１孔の注湯口を有するスライド板レンガと、前記固定板レンガの外周側で伸縮ユニットによる回動可能に装着されたアウタレースと、該アウタレースに蝶番ヒンジにより開閉可能に取り付けられた前記スライド板レンガを装着したフレームとを備えており、該アウタレースを伸縮ユニットにより回動して前記スライド板レンガの注湯口と  固定板レンガの注湯口との相対開度位置を調整することにより、溶融金属の注湯量を制御する装置において、
前記フレームの蝶番ヒンジによる開閉が、前記伸縮ユニットによる回動手段と関係なく開閉可能であり、且つ、前記アウタレースの回動が、前記伸縮ユニットを支える支持ピボットＰ１、アウタレースの回動中心Ｐ３、アウタレースの外周部に設けられ伸縮ユニットの伸縮ロッド端と係合するピボットＰ２を三角点とするクランク機構により回動され、前記スライド板レンガの注湯口が固定板レンガの注湯口と一致する全開位置を終点位置とし、該終点位置より所定の角度回動された位置を始点位置とするように伸縮ユニットのストロークおよび伸縮ユニットの支持ピボットＰ１位置が選択される構造を有することを特徴とする溶融金属の注湯量制御装置。
【請求項２】
前記終点位置および始点位置が伸縮ユニットの伸縮ロッドのストローク０および全長位置に対応していることを特徴とする請求項１に記載の注湯量制御装置。
【請求項３】
前記始点位置の回動半径と、支持ピボットＰ１、ピボットＰ２間を結ぶ中心線となす回動角度θが４５゜〜９５゜であることを特徴とする、請求項１または２に記載の注湯量制御装置。
【手続補正２】
【補正対象書類名】明細書
【補正対象項目名】００１０
【補正方法】変更
【補正の内容】
【００１０】
しかし、実作業において注湯口付近を中心としたレンガの摩耗保全対策として実施されている固定板レンガまたはスライド板レンガを交換または反転して使用するドア型の従来の注湯量制御装置においては、該ドアを開閉する際には何らかの形でドア側と駆動部側との連結を切り離す必要があった。すなわち、図１０においては油圧シリンダ９００のスライド板レンガ５００の支持部材７００との連結部９１０を切り離し可能な形式にしておく必要があり、前記レンガの反転作業時にはこの切り離し作業をその都度行わなければならない煩雑さがあった。この作業は、従来方式のドア型である場合はスライド方式、ロータリ方式のいずれの場合においても、必要なものであった。
【手続補正３】
【補正対象書類名】明細書
【補正対象項目名】００１４
【補正方法】変更
【補正の内容】
【００１４】
また、本願発明の溶融金属の注湯量制御装置は、
２）上述の１）における、前記終点位置および始点位置を伸縮ユニットの伸縮ロッドのストローク０および全長位置に対応させたものであり、
３）上述の１）または２）における、前記始点位置の回動半径と、支持ピボットＰ１、ピボットＰ２間を結ぶ中心線となす回動角度θを４５゜〜９５゜としたものである。
すなわち、従来から使用されている注湯量制御装置のユニット部材を容易に転用することを可能とし、また、各ピボット位置を適正に選ぶことにより、伸縮ユニットの容量のより適正で小さなものを選ぶことができる
【手続補正４】
【補正対象書類名】明細書
【補正対象項目名】００１５
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
（２）本発明は、上述の２）または３）の構造により、伸縮ユニットの容量を削減することができ、より安価で高効率、高至便性の溶融金属の注湯量制御装置を提供することができる。
【手続補正７】
【補正対象書類名】明細書
【補正対象項目名】００２０
【補正方法】変更
【補正の内容】
【００２０】
図１は、本発明の実施例１における、シングルドア型の構造を示した概略図であって、図１（ａ）は出湯側より見た図、また図１（ｂ）は側面より見た図である。
図２は、本実施例１の構造を模式的に示した説明図である。
図において、１はベースプレート、２は固定レンガ、３は固定板、４はアウタレース、５はスライド板レンガ、６はスライド板ケース、７はフレーム、８は油圧シリンダ、９はシリンダピボット部である。
【手続補正８】
【補正対象書類名】明細書
【補正対象項目名】００２１
【補正方法】変更
【補正の内容】
【００２１】
前記ベースプレート１により、本発明に係る溶融金属の注湯量制御装置は、溶融金属容器の底部等に取付けられており、該ベースプレート１に固着され固定板レンガ２を支持する固定板３の外周に係合し、油圧シリンダ８により回動可能なアウタレース４と、該アウタレース４に固定されたヒンジ部４２と係合されたフレーム７が設けられている。フレーム７には、前記固定板レンガ１と面摺回動するスライド板レンガ５および該スライド板レンガ５をフレーム内で支持するスライド板ケース６が設けられている。
【手続補正９】
【補正対象書類名】明細書
【補正対象項目名】００２９
【補正方法】変更
【補正の内容】
【００２９】
図３は本発明の実施例２における、ダブルドア型の構造を示した概略図であって、図３（ａ）は出湯側より見た図、また図３（ｂ）は側面より見た図である。
図４は、本実施例１の構造を模式的に示した説明図である。
図において、６１はスライド板ケースヒンジ部である。なお、実施例１における図１、図２と同一の構成部分については同一の符号を付し、その説明を省略する。
【手続補正１０】
【補正対象書類名】明細書
【補正対象項目名】００３０
【補正方法】変更
【補正の内容】
【００３０】
本実施例が前記実施例１と異なるところは、スライド板レンガ５の反転取り付け作業をより容易にするため、該スライド板レンガ５を収容するスライド板ケース６をも、フレーム７と同様にフレーム７に対して単独でヒンジ部４２と蝶番ヒンジ開閉を可能とし、さらに実施例１においてはベースプレートに固定されていた固定板レンガを収容するアウタレース４に対して、回動可能な固定板レンガ受け（ドア）を設けて、蝶番ヒンジによる開閉可能とした構成にある。全ての蝶番ヒンジの軸芯は同一軸上に配列されている。
【手続補正１１】
【補正対象書類名】明細書
【補正対象項目名】００３２
【補正方法】変更
【補正の内容】
【００３２】
ＳＴＥＰ１において、（１）フレーム７を固定しているクランプを掛けナットを弛めてからフレーム７を１２０°まで開き、（２）スライド板レンガ５の位置を反転する。次いで、ＳＴＥＰ２において、スライド板レンガ５を収容するスライド板ケース６を１２０°まで開く。ＳＴＥＰ３において（１）固定板レンガ２を収容するアウタレース４を含む固定板レンガ受け（ドア）１２０°まで開き、（２）固定板レンガの位置を反転する。ＳＴＥＰ４にて、全ドアを閉じる。
【手続補正１２】
【補正対象書類名】明細書
【補正対象項目名】００４３
【補正方法】変更
【補正の内容】
【００４３】
１：ベースプレート
２：固定板レンガ
３：固定板
４：アウタレース
４１：連結部
４２：ヒンジ部
５：スライド板レンガ
６：スライド板ケース
６１：スライド板ケースヒンジ部
７：フレーム
７１：フレームヒンジ部
８：油圧シリンダ
８２：連結端部
９：シリンダピボット部
Ｐ１：伸縮ユニットを支える支持ピボット
Ｐ２：アウタレースの外周部に設けられ伸縮ユニットの伸縮ロッド端と係合するピボットＰ３：アウタレースの回動中心。
【手続補正１３】
【補正対象書類名】図面
【補正対象項目名】図２
【補正方法】変更
【補正の内容】
【図２】
2005186075.tif 000001
【手続補正１４】
【補正対象書類名】図面
【補正対象項目名】図３
【補正方法】変更
【補正の内容】
【図３】
2005186075.tif 000002
【手続補正１５】
【補正対象書類名】図面
【補正対象項目名】図８
【補正方法】変更
【補正の内容】
【図８】
2005186075.tif 000003